(57)【要約】【課題】  摺動棒の先端に濾過手段を設けて小型化し、かつ、濾過手段の交換が容易な流体用スクリーンチェンジャを提供する。【解決手段】  摺動棒孔を流路入口方向に交差して有するケーシング本体と、前記摺動棒孔に摺動自在に挿入され、先端には中心から軸方向へ、更に半径方向にＬ字に曲がる可動通路を外周面に貫通して持ち、流路入口方向に交差した摺動棒と、該摺動棒の基端に結合された摺動駆動軸と、前記摺動棒の先端で、前記可動通路に連通して、着脱自在に取り付けられた有底濾過筒からなる濾過手段とを含む。【選択図】  図４ａ
2010094946.tif 000002
【特許請求の範囲】
【請求項１】
摺動棒孔を流路入口方向に交差して有するケーシング本体と、
前記摺動棒孔に摺動自在に挿入され、先端には中心から軸方向へ、更に半径方向にＬ字に曲がる可動通路を外周面に貫通して持ち、流路入口方向に交差した摺動棒と、
該摺動棒の基端に結合された摺動駆動軸と、
前記摺動棒の先端で、前記可動通路に連通して、着脱自在に取り付けられた有底濾過筒からなる濾過手段と、
を含む流体用スクリーンチェンジャ。
【請求項２】
前記有底濾過筒からなる濾過手段は、
多孔筒と、
その内周または外周に装着された円筒スクリーンと、
前記多孔筒の一端に嵌め込まれた底部材と、
前記多孔筒の他端に嵌め込まれた出口を持つ出口部材と、
前記底部材の中心を貫通して前記出口部材の出口中心を通り、前記摺動棒にねじ込まれたネジ棒と、
該ネジ棒の端部にねじ込まれたナット部材と、
を含む請求項１記載の流体用スクリーンチェンジャ。
【請求項３】
前記有底濾過筒からなる濾過手段は、
多孔筒と、
その内周または外周に装着された円筒スクリーンと、
前記多孔筒の一端にネジを介して取付られた底部材と、
前記多孔筒の他端にネジを介して取付られた出口を持つ出口部材とを含み、
該出口部材は該出口に同心に設けられた円周凸条または円周凹条に設けたネジを介して前記摺動棒にねじ込まれた請求項１記載の流体用スクリーンチェンジャ。
【請求項４】
前記有底濾過筒からなる濾過手段は、
底に出口が設けられ、該出口に同心に設けられた円周凸条または円周凹条に設けたネジを介して前記摺動棒にねじ込まれ、かつ、側壁に入口を持つ容器体と、
該容器体の開口端にねじ込まれた蓋体と、
前記容器体の内部で底付近に取り付けられた複数の取付孔を持つ位置決め板と、
前記取付孔にネジを介して取付けられた複数の小有底濾過筒とを含み、
該小有底濾過筒は、多孔筒と、
その内周または外周に装着された円筒スクリーンと、
前記多孔筒の一端にネジを介して取付られた底部材と、
を含む請求項１記載の流体用スクリーンチェンジャ請求項１記載の流体用スクリーンチェンジャ。
【請求項５】
前記有底濾過筒からなる濾過手段は、
前記摺動棒にねじ込まれた主多孔筒と、
前記主多孔筒の一端に取り付けられた主底部材と、
前記主多孔筒の外周に摺動自在に嵌合された副多孔筒と、
該副多孔筒の外周に装着された円筒スクリーンと、
前記副多孔筒の一端に着脱自在とされ、周縁部がケーシングの端面に当接するフランジを持つ副底部材とを備え、
前記副多孔筒から前記副底部材までが、前記副多孔筒のネジで前記副底部材に一体的に取り付けられ、前記主底部材に取り付けられたネジ棒が前記副底部材を貫通して突出し、その突出部にナット部材がねじ込まれるようにした請求項１記載の流体用スクリーンチェンジャ。
【請求項６】
前記摺動棒の前記可動通路に対し摺動方向に間隔を存して副通路が設けられ、前記副通路に副濾過手段が着脱自在に装着され、
該副濾過手段の交換孔と交換蓋が前記ケーシングに設けられた請求項１または２または３または４または５記載の流体用スクリーンチェンジャ。
【請求項７】
ケーシング本体と摺動棒および有底濾過筒との間の隙間に連通するように、ケーシング本体を貫通して外部に開口する放出孔が設けられた請求項１または２または３または４または５記載の流体用スクリーンチェンジャ。
【請求項８】
前記有底濾過筒の先端はフランジ部となり、
前記摺動駆動軸の末端に動力駆動源接続され、かつ、
前記摺動駆動軸が貫通するケーシング端板の貫通部にはパッキンが介在された
請求項１または２または３または４または５記載の流体用スクリーンチェンジャ。
【請求項９】
ケーシングの端部付近に排出孔が設けられ、摺動棒には副可動通路の入口側に入口補助通路が設けられ、副可動通路の出口側に出口補助通路が設けられ、
目詰まりした主濾過手段のスクリーンの逆洗浄の状態において、摺動棒がその先端側に移動して、有底濾過筒の筒入口が閉鎖されたとき、副可動通路の入口側に設けた入口補助通路がケーシング入口と連通し、副可動通路の出口側に設けた出口補助通路がケーシング出口と連通し、
これにより、流体はケーシング入口より入り、副可動通路を経て副濾過手段の有底濾過筒の外周から内側に入り、多孔筒とスクリーンにより濾過され、副可動通路を通ってケーシング出口より流出し、同時に、一部の流体は主可動通路を逆に流れ、筒出口を経て有底濾過筒の内側に入り、多孔筒とスクリーンに付着した不純物を流体と共に洗い流し、筒出口から出て前記排出孔を通ってケーシング外に流出するようにした請求項６記載の流体用スクリーンチェンジャ。
【請求項１０】
ケーシングの末端付近に第２排出孔、ケーシング出口の内端に第３補助通路が設けられ、摺動棒には副可動通路の入口側に入口補助通路が設けられ、副可動通路の出口側に出口補助通路が設けられ、
目詰まりした副濾過手段のスクリーンの逆洗浄の状態において、摺動棒が末端側へ移動して、有底濾過筒の筒入口が開放されたとき、副可動通路の入口側に設けた入口補助通路がケーシング入口と遮断し、副可動通路の出口側に設けた出口補助通路がケーシング出口と連通し、
これにより、流体はケーシング入口より入り、主濾過手段の有底濾過筒の外周から内側に入り、多孔筒とスクリーンにより濾過され、主可動通路を経てケーシング出口より流出し、同時に、一部の流体は第３補助通路を経て副可動通路を逆に流れ、副濾過手段のスクリーンに付着した不純物を流体と共に洗い流し、前記第２排出孔を通ってケーシング外に流出するようにした請求項６記載の流体用スクリーンチェンジャ。
【発明の詳細な説明】
【技術分野】
【０００１】
本発明は、例えば溶融プラスチックなどの流体用スクリーンチェンジャに関するものである。
【背景技術】
【０００２】
プラスチック成形用の濾過機として、本出願人が先に開発し特許権を取得したものがある。（特許文献１−特許第３８０６７６７号公報）  これは摺動棒の長さ方向に直角に貫通する通路内に濾過手段が挿入されたものである。また、特許文献２（特開平１０−４４２１６号公報）に記載のものは、摺動棒の先端に濾過手段を設けたものである。
【特許文献１】特許第３８０６７６７号公報
【特許文献２】特開平１０−４４２１６号公報
【発明の開示】
【発明が解決しようとする課題】
【０００３】
しかしながら、文献１の技術では、摺動棒の中に濾過手段が内蔵された状態であるから、どうしても摺動棒が太くなり、全体として大型の装置となってしまう。また、文献２の技術では、濾過手段の交換が容易でない。
【０００４】
本発明は上記課題を解決し、摺動棒の先端に濾過手段を設けて小型化し、かつ、濾過手段の交換が容易な流体用スクリーンチェンジャを提供することを目的とする。
【課題を解決するための手段】
【０００５】
課題解決手段は、摺動棒孔を流路入口方向に交差して有するケーシング本体と、前記摺動棒孔に摺動自在に挿入され、先端には中心から軸方向へ、更に半径方向にＬ字に曲がる可動通路を外周面に貫通して持ち、流路入口方向に交差した摺動棒と、該摺動棒の基端に結合された摺動駆動軸と、前記摺動棒の先端で、前記可動通路に連通して、着脱自在に取り付けられた有底濾過筒からなる濾過手段とを含む。
【０００６】
前記有底濾過筒からなる濾過手段の第１は、多孔筒と、その内周または外周に装着された円筒スクリーンと、前記多孔補強筒の一端に嵌め込まれた底部材と、前記多孔筒の他端に嵌め込まれた出口を持つ出口部材と、前記底部材の中心を貫通して前記出口部材の出口中心を通り、前記摺動棒にねじ込まれたネジ棒と、該ネジ棒の端部にねじ込まれたナット部材とを含む。
【０００７】
前記有底濾過筒からなる濾過手段の第２は、多孔筒と、その内周または外周に装着された円筒スクリーンと、前記多孔筒の一端にねじを介して取付られた底部材と、
前記多孔筒の他端にねじを介して取付られた出口を持つ出口部材とを含み、該出口部材は該出口に同心に設けられた円周凸条または円周凹条に設けたねじを介して前記摺動棒にねじ込まれる。
【０００８】
前記有底濾過筒からなる濾過手段の第３は、底に出口が設けられ、該出口に同心に設けられた円周凸条または円周凹条に設けたネジを介して前記摺動棒にねじ込まれ、かつ、側壁に入口を持つ容器体と、該容器体の開口端にねじ込まれた蓋体と、前記容器体の内部で底付近に取り付けられた複数の取付孔を持つ位置決め板と、前記取付孔にネジを介して取付けられた複数の小有底濾過筒とを含み、該小有底濾過筒は、多孔筒と、その内周または外周に装着された円筒スクリーンと、前記多孔筒の一端にネジを介して取付られた底部材とを含む。
【０００９】
前記有底濾過筒からなる濾過手段の第４は、前記摺動棒にねじ込まれた主多孔筒と、前記主多孔筒の一端に取り付けられた主底部材と、前記主多孔筒の外周に摺動自在に嵌合された副多孔筒と、該副多孔筒の外周に装着された円筒スクリーンと、前記副多孔筒の一端に着脱自在とされ、周縁部がケーシングの端面に当接するフランジを持つ副底部材とを備え、前記副多孔筒から前記副底部材までが、前記副多孔筒のネジで前記副底部材に一体的に取り付けられ、前記主底部材に取り付けられたネジ棒が前記副底部材を貫通して突出し、その突出部にナット部材がねじ込まれるようにされている。
【００１０】
前記手段において、前記摺動棒の前記可動通路に対し摺動方向に間隔を存して副通路が設けられ、前記副通路に副濾過手段が着脱自在に装着され、該副濾過手段の交換孔と交換蓋が前記ケーシングに設けられた場合がある。
【００１１】
前記手段において、ケーシング本体と摺動棒および有底濾過筒との間の隙間に連通するように、ケーシング本体を貫通して外部に開口する放出孔が設けられた場合がある。
【００１２】
前記手段において、前記有底濾過筒の先端はフランジ部となり、前記摺動駆動軸の末端に動力駆動源接続され、かつ、前記摺動駆動軸が貫通するケーシング端板の貫通部にはパッキンが介在された場合がある。
【００１３】
前記摺動棒の前記可動通路に対し摺動方向に間隔を存して副通路が設けられ、前記副通路に副濾過手段が着脱自在に装着されたものでは、次の場合がある。ケーシングの端部付近に排出孔が設けられ、摺動棒には副可動通路の入口側に入口補助通路が設けられ、副可動通路の出口側に出口補助通路が設けられる。
【００１４】
そして、目詰まりした主濾過手段のスクリーンの逆洗浄の状態において、摺動棒がその先端側に移動して、有底濾過筒の筒入口が閉鎖されたとき、副可動通路の入口側に設けた入口補助通路がケーシング入口と連通し、副可動通路の出口側に設けた出口補助通路がケーシング出口と連通する。これにより、流体はケーシング入口より入り、副可動通路を経て副濾過手段の有底濾過筒の外周から内側に入り、多孔筒とスクリーンにより濾過され、副可動通路を通ってケーシング出口より流出し、同時に、一部の流体は主可動通路を逆に流れ、筒出口を経て有底濾過筒の内側に入り、多孔筒とスクリーンに付着した不純物を流体と共に洗い流し、筒出口から出て排出孔を通ってケーシング外に流出するようにしてある。
【００１５】
また、前記摺動棒の前記可動通路に対し摺動方向に間隔を存して副通路が設けられ、前記副通路に副濾過手段が着脱自在に装着されたものでは、さらに次の場合がある。ケーシングの末端付近に第２排出孔、ケーシング出口の内端に第３補助通路が設けられ、摺動棒には副可動通路の入口側に入口補助通路が設けられ、副可動通路の出口側に出口補助通路が設けられる。
【００１６】
目詰まりした副濾過手段のスクリーンの逆洗浄の状態において、摺動棒が末端側へ移動して、有底濾過筒の筒入口が開放されたとき、副可動通路の入口側に設けた入口補助通路がケーシング入口と遮断し、副可動通路の出口側に設けた出口補助通路がケーシング出口と連通する。これにより、流体はケーシング入口より入り、主濾過手段の有底濾過筒の外周から内側に入り、多孔筒とスクリーンにより濾過され、主可動通路を経てケーシング出口より流出し、同時に、一部の流体は第３補助通路を経て副可動通路を逆に流れ、副濾過手段のスクリーンに付着した不純物を流体と共に洗い流し、第２排出孔を通ってケーシング外に流出するようにしてある。
【発明の効果】
【００１７】
本発明の流体用スクリーンチェンジャにより、摺動棒の先端に濾過手段を設けたので、装置全体を小型化できることとなった。しかも、濾過手段の交換が容易となった。
【発明を実施するための最良の形態】
【００１８】
以下に本発明の実施態様を図面に示す一実施例にもとづき説明する。
図１，２，３において、ケーシング本体１０は外形が正面視で矩形，側面視で矩形，平面視で横長矩形をなした鋼のブロック状である。そして、後記摺動棒２がその軸方向に摺動できるよう案内するよう、ケーシングの左右方向に沿う軸線を持つ円筒形の摺動棒孔１５が、流路入口方向に交差して設けられる。
【００１９】
図４aにおいて、該ケーシング本体１０には、一方外面（図示正面）から前記摺動棒孔１５を連通して他方外面（図示背面）に開口するように、入口通路１１，分岐通路１３，出口通路１２が設けられる。図示の正面側が流体の上流側、背面側が流体の下流側となる。入口通路１１，出口通路１２は、前後一直線上にある。分岐路１３はそれから分岐して溝となり、摺動棒孔１５の内面を軸方向の右方の端部付近に至る。
【００２０】
図４ａにおいて、可動棒孔１５には、円柱形の摺動棒２が摺動自在に挿入される。摺動棒２の先端（右端）には、中心から軸方向、続いて半径方向に貫通して出口通路１２に通じるよう、Ｌ字に曲がる主可動通路２ａが設けられる。また、直径方向に貫通する副可動通路２ｂが、前記摺動棒の前記主可動通路に対し摺動方向に間隔を存して設けられる。そして、前記副通路の入口および出口で摺動方向に長い溝からなる補助通路２ｃ，２ｄが設けられ、後述のように、切り換え時に前記ケーシングの入口１１および出口１２に連通する。また、ケーシング出口１２の内端に第３補助通路１４が設けられる。
【００２１】
前記摺動棒２の先端で、前記主可動通路２ａに連通して、有底濾過筒とスクリーンからなる主濾過手段２０が着脱自在に取り付けられる。即ち、主濾過手段２０は、補強多孔筒２１と、その内周または外周に装着された円筒スクリーン２２と、前記補強筒の一端および他端に円周溝を介して嵌め込まれた底部材２３および出口部材２４とを持つ。
【００２２】
前記底部材２３において、円盤状本体２３ａの中心から、主可動通路２ａに向かって細くなる円錐形の中心案内２３ｂが、また、外周から主可動通路２ａに向かって広くなる円錐台形穴を形成する外周案内２３ｃが、一体形成される。そして、底部材２３の端部にはフランジ部材２３ｄが一体形成される。
【００２３】
前記出口部材２４において、円盤状本体２４ａの中心に出口２４ｂが設けられて、主可動通路２ａに通じる。本体２４ａの外周から主可動通路２ａに離反する方向に広くなる円錐台形穴を形成する外周案内２４ｃが、一体形成される。そして、出口部材２４の端部には、位置決めのための円周凸条２４ｄが一体形成される。
【００２４】
ここで、前記底部材２３の外周案内２３ｃと、前記出口部材２４の外周案内２４ｃとの間には、濾過筒２１への流体入口として筒入口２０ａが構成される。そして、前記底部材２３の中心を貫通して前記出口部材２４の出口中心を通り、前記摺動棒２の先端（通路２ａの内面）にねじ棒２５がねじ込まれ、該ネジ棒の端部にナット部材２６がねじ込まれ、着脱自在となる。
【００２５】
また、前記副可動通路２ｂに副濾過手段３０が挿入される。即ち、図４aにおいて、摺動棒２に装填された有底濾過筒３０は底側を副可動通路２ｂの入口側に位置し、副可動通路２ｂの出口から交換可能にはめ込まれる。補強多孔筒３１は直円筒（またはテーパ円筒）を呈し、その外周（または内周，中間）に円筒スクリーン３２が装着される。
【００２６】
補強多孔筒３１の一端にネジで取り付けられた底部材３３は、外側中央が外側に凸となっている。案内部材３４は底部材３３の内側の軸線上に突設された先細テーパ棒状を呈する。フランジ部材３５は多孔筒の開口側に設けられた円環状を呈し、ケーシング本体１０の内面に対向する部分は円柱摺動棒２の外周面に面一となる円筒面を持つ。
【００２７】
ケーシング１０の外面から摺動棒孔１５に連通して濾過手段交換孔１６が設けられる。即ち、摺動棒孔１５の内円周面の円周方向において、入口通路１１，分岐通路１３，出口通路１２が開口する範囲を除いた範囲で、かつ、摺動棒が左限位置にあって、主濾過手段２０の濾過時に副濾過手段３０が位置する処である。そして、この孔を開閉する交換蓋８設けられる。
【００２８】
図１，４ａで、前記摺動棒孔１５の一端で、ケーシング本体１０の側面にケーシングカバー１０ａが取り付けられる。カバー１０ａを貫通した摺動棒２の可動駆動軸５に摺動手段として、流体ピストン・シリンダー６が取り付けられる。前記摺動駆動軸５が貫通するケーシング端板１０ａの貫通部にはパッキン７が介在される。摺動手段６を摺動棒２の基端側に負荷することにより、有底濾過筒２０のフランジ部２３ｄがケーシング１０の端面に押し付けられて、流体の漏れが阻止される。
【００２９】
また、ケーシング本体１０と摺動棒２および有底濾過筒２０との間の隙間に連通するように、図３，４ａで、ケーシング本体を貫通して外部に開口する放出孔１８が設けられている。この放出孔１８は摺動棒孔１５の円周内面に通じるように１個または複数個が設けられる。
【００３０】
以上において、作動状態を説明する。図４ａで流体はケーシング入口１１より入り、筒入口２０ａを経て有底濾過筒２０の外周から内側に入り、補強多孔筒２１とスクリーン２２により濾過され、筒出口２４ｂから出て可動通路２ａを通ってケーシング出口１２より流出する。
【００３１】
主濾過手段２０のスクリーンが流体内の不純物で目詰まりを起こしたとき、摺動棒２は駆動ビストン６により右方へ摺動し、図４ｂのように、主濾過手段２０の大部分がケーシング１０の外部に出た状態になる。このとき、ケーシング入口１１よりの流体は摺動棒２により遮断され、また、可動通路２ａの出口はケーシングで遮断され、これにより、主濾過手段２０への流体の出入りはなくなる。
【００３２】
次に、ナット２６を外し、主濾過手段２０をネジ棒２５を案内として摺動棒２から引き離し、機外に出して新しくセツトされたものと交換する。この間、副濾過手段３０は図４ｂの如くケーシング入口１１と出口１２とに連通して、流体は副濾過手段により濾過されて出口１２より次工程に移るため、流体の流れは中断することなく生産が続けられる。
【００３３】
主濾過手段２０が交換されると、摺動棒２は左方へ摺動して図４ａの状態に戻る。なおこの途中で、補助通路２ｃ，２ｄは、副可動通路２ｂのケーシング入口１１，出口１２への連絡路となる。
【００３４】
次に、図４ｃは目詰まりした主濾過手段２０のスクリーンの逆洗浄の状態を示す。摺動棒２が右方へ移動して、有底濾過筒の筒入口２０ａが閉鎖されたとき、副可動通路２ｂの入口側に設けた入口補助通路２ｃがケーシング入口１１と連通し、副可動通路の出口側に設けた出口補助通路２ｄがケーシング出口１２と連通する。
【００３５】
これにより、流体はケーシング入口１１より入り、副可動通路２ｂを経て副濾過手段の有底濾過筒３１の外周から内側に入り、補強多孔筒とスクリーンにより濾過され、副可動通路２ｂを通ってケーシング出口１２より流出する。同時に、一部の流体は主可動通路２ａを逆に流れ、筒出口２４ｂを経て有底濾過筒の内側に入り、補強多孔筒３１とスクリーン３２に付着した不純物を流体と共に洗い流し、筒入口２０ａから出てケーシング１０に設けた排出孔１７ａを通ってケーシング１０外に流出する。
【００３６】
次に、図４ｄは目詰まりした副濾過手段３０のスクリーンの逆洗浄の状態を示す。摺動棒２が左方へ移動して、主有底濾過筒２０の筒入口２０ａが開放されたとき、副可動通路２ｂの入口側に設けた入口補助通路２ｃがケーシング入口１１と遮断し、副可動通路の出口側に設けた出口補助通路２ｄが、第３補助通路１４を介してケーシング出口１２と連通する。
【００３７】
これにより、流体はケーシング入口１１より入り、主濾過手段２０の有底濾過筒の外周から内側に入り、補強多孔筒とスクリーンにより濾過され、主可動通路２ａを経てケーシング出口１２より流出する。同時に、一部の流体は補助通路２ｄを逆に流れ、有底濾過筒３０の内側に入り、補強多孔筒とスクリーンに付着した不純物を流体と共に洗い流し、ケーシング１０に設けた第２排出孔１７ｂを通ってケーシング１０外に流出する。
【００３８】
ここで、流体の漏れ防止について説明する。通常運転は図４ａの状態であるが、このとき、分岐通路１３と筒入口２０ａの圧力流体がケーシング１０と底部材２３との隙間を通り、フランジ部２３ｄとケーシング端面との間から外部に漏れる恐れがある。このとき、摺動手段６を摺動棒２の基端側に負荷することにより、有底濾過筒２０のフランジ部２３ｄがケーシング１０の端面に押し付けられて、流体の漏れが阻止される。また、摺動棒２の基端側の駆動軸５の貫通部はパッキン７で軸封される。
【００３９】
次に、ケーシング１０に対する摺動棒２、有底濾過筒２０の底部材２３、出口部材２４との円周方向の隙間に入った流体は、長時間にわたり停滞すると劣化を起こして製品に悪影響を及ぼす。また、摺動棒２と有底濾過筒２０の出口部材２４との接合面の隙間に圧力流体が入り込むと、摺動棒２と出口部材２４とを軸方向に分離させようとする力が働き、漏れを惹起したり、ネジ棒２５に過度の力がかかることになる。この現象を防止するため図３，４ａのように、ケーシング本体１０と摺動棒２および有底濾過筒２０との間の隙間に連通するように、ケーシング本体を貫通して外部に開口する放出孔１８が設けられる。そして、必要に応じて、この孔１８に図外の流量調整弁を設ける。これにより、前記現象を防止できる。
【００４０】
図５は前記有底濾過筒からなる主濾過手段２０の他の実施例４０を示し、前記ネジ棒２５、ナット部材２６を除いたものである。即ち、補強多孔筒４１と、その内周または外周に装着された円筒スクリーン４２と、前記補強筒の一端に円周溝のネジを介して取り付けられた底部材４３と、前記補強筒の他端に円周溝のネジを介して取り付けられた出口を持つ出口部材４４とを備える。そして、該出口部材４４は該出口に同心に設けられた円周凸条４４ａ（または円周凹条）に設けたネジを介して、前記摺動棒２にねじ込まれたものである。
【００４１】
図６ａ，６ｂは、前記有底濾過筒からなる主濾過手段２０の更に他の実施例５０を示す。容器体５１は側壁に入口５１ａを持ち、底に出口５１ｂが設けられ、該出口に同心に設けられた円周凸条５１ｃ（または円周凹条）に設けたネジを介して前記摺動棒２にねじ込まれる。該容器体の開口端にねじ込まれた蓋体５２と、前記容器体の内部で底付近に取り付けられた複数（図示６個が均等に配置）の取付孔を持つ位置決め板５３と、前記取付孔にネジを介して取付けられた複数（図示６個）の小有底濾過筒５４を備える。
【００４２】
そして、該有底濾過筒５４は、補強多孔筒５４ａと、その内周または外周に装着された円筒スクリーン５４ｂと、前記補強筒の一端に円周溝のネジを介して取り付けられた底部材５４ｃとを備える。流体は入口５１ａから入り、濾過筒５４どうしの間および容器体５１との間に至り、濾過筒５４内に入り、出口５１ｂから主可動通路２ａに入る。
【００４３】
図７は、前記有底濾過筒からなる濾過手段の更に他の実施例６０を示す。
濾過手段６０は、前記摺動棒２にねじ込まれた主多孔筒６１と、前記主多孔筒の一端にネジ６２ａで取り付けられた円錐形の主底部材６２とを備える。
【００４４】
そして、前記主多孔筒の外周に副多孔筒６３が摺動自在に嵌合される。副多孔筒６３は円筒本体６３ａの先端にフランジ６３ｃ、末端にネジ６３ｂを持つ。副多孔筒６３の外周に円筒スクリーン６４が装着される。前記副多孔筒の一端のネジに副底部材６５が円周溝を介してねじ込まれる。副底部材６５は円板体６５ａからなり、周縁部がケーシング１０の端面に当接するフランジ６５ｂを持つ。
【００４５】
該副底部材６５の内側で、前記副多孔筒６３の外周側に突出し、外周から主可動通路２ａに向かって広くなる円錐台形穴を形成する末端外周案内６６ａと、前記副多孔筒６３の先端側で前記フランジ６３ｃに位置決めされ、外周から主可動通路２ａに離反する方向に広くなる円錐台形穴を形成する先端外周案内６６ｂとを備える。前記外周案内の外周に、流体入口６７ａを持つ外筒６７が摺動自在に装着される。この外筒６７の先端は、先端外周案内６６ｂの段部６６ｃを介した小径部に嵌る。
【００４６】
そして、前記副多孔筒６３から前記外筒６７までが、前記副多孔筒のネジ６３ｂで前記副底部材６５に一体的に取り付けられる。前記主底部材６２に取り付けられたネジ棒６８が前記副底部材６５を貫通して突出し、その突出部にナット部材６９がねじ込まれる。
【００４７】
従って、ナット部材６９を外し副底部材６５を引き抜くと、前記副多孔筒６３から前記外筒６７までが一体となって引き抜かれる。引き抜かれた跡は空洞となっているため、そこに新しいものが挿入される。このため、従来のようにケーシング１０から主多孔筒６１と主底部材６２を取り外すことなく、スクリーン６４の交換が容易となった。また、主多孔筒６１の内部の溶融プラスチックは製品になるため、これが外気に触れず、また、汚れないので、その利点は大きい。そのうえ、前記主多孔筒６１の外周に副多孔筒６３が摺動自在に嵌合されるので、スクリーン６４が直接に主多孔筒６１の孔に食い込むことが防がれる。
【００４８】
外筒６７があると、それとケーシングの摺動棒孔１５の面は金属接触であるので、滑りに優れ、また、溶融プラスチックの漏れも最少限に抑えられる。前記主多孔筒６１の孔の大きさよりも副多孔筒６３の孔のそれを大きくしておけば、両者の孔に多少のずれがあっても、影響は少ない。
【００４９】
なお、前記濾過手段５０，６０において、排出孔１７ａに連通する孔（図示省略）を容器体５１および外筒６７の側壁に設けておけば、図４ｃに相当した逆洗作用が可能となる。
【００５０】
なお、図４ｄの副濾過筒３１が楕円の場合は濾過面積が増加する。また、副濾過手段３０として前記に代えて、周知の多孔平円板と平面円スクリーンとからなるものが使用される。図８ａは摺動棒２が２本、図８ｂは３本設けられたものである。
【００５１】
本発明は前記した実施例や実施態様に限定されず、特許請求の範囲および発明の範囲を逸脱せずに種々の変形を含む。
【産業上の利用可能性】
【００５２】
本発明は、溶融プラスチックなどの流体用スクリーンチェンジャに利用される。
【図面の簡単な説明】
【００５３】
【図１】本発明の一実施例（第１実施例）の正面図である。
【図２】図１の右側面図である。
【図３】図４ａのＹ３−Ｙ３断面図である。
【図４ａ】図１のＸ４ａ−Ｘ４ａ断面図である。
【図４ｂ】図４ａの作動説明図である。
【図４ｃ】図４ａの作動説明図である。
【図４ｄ】図４ａの作動説明図である。
【図５】本発明の第２実施例の図４ａに対応した断面図である。
【図６ａ】本発明の第３実施例の図４ａに対応した断面図である。
【図６ｂ】図６ａのＹ６ｂ−Ｙ６ｂ断面図である。
【図７】本発明の第４実施例の図４ａに対応した断面図である。
【図８ａ】摺動棒が２本の実施例の正面図である。
【図８ｂ】摺動棒が３本の実施例の正面図である。
【符号の説明】
【００５４】
１０  ケーシング本体
１１  入口通路
１２  出口通路
１３  分岐通路
１４  第３補助通路
１５  摺動棒孔
１６  交換孔  
１７ａ，１７ｂ  排出孔
１８  放出孔
１０ａ  カバー
２  摺動棒
２ａ  主可動通路
２ｂ  副可動通路
２ｃ  補助通路
２ｄ  補助通路
５  駆動軸
６  摺動手段
７  パッキン
８  交換蓋
２０  主濾過手段（有底濾過筒）
２０ａ  筒入口
２１  補強多孔筒
２２  スクリーン
２３  底部材
２３ａ  本体
２３ｂ  中心案内
２３ｃ  外周案内
２３ｄ  フランジ部材
２４  出口部材
２４ａ  本体
２４ｂ  出口
２４ｃ  外周案内
２４ｄ  円周凸条
２５  ネジ棒
２６  ナット部材
３０  副濾過手段
３１  補強多孔筒
３２  スクリーン
３３  底部材
３４  案内部材
３５  フランジ部材
４０  主濾過手段の第２例
４１  補強多孔筒
４２  スクリーン
４３  底部材
４４  出口部材
５０  主濾過手段の第３例
５１  容器体
５１ａ  入口
５１ｂ  出口
５１ｃ  円周凸条
５２  蓋体
５３  位置決め板
５４  小有底濾過筒
５４ａ  補強多孔筒
５４ｂ  スクリーン
５４ｃ  底部材
６０  主濾過手段の第４例
６１  主多孔筒
６２  主底部材
６３  副多孔筒
６３ａ  本体
６３ｂ  ネジ
６３ｃ  フランジ
６４  スクリーン
６５  副底部材
６５ａ  本体
６５ｂ  フランジ
６６  外周案内
６６ａ  末端外周案内
６６ｂ  先端外周案内
６６ｃ  段部
６７  外筒
６７ａ  流体入口
６８  ネジ棒
６９  ナット部材
【図１】
2010094946.tif 000003
【図２】
2010094946.tif 000004
【図３】
2010094946.tif 000005
【図４ａ】
2010094946.tif 000006
【図４ｂ】
2010094946.tif 000007
【図４ｃ】
2010094946.tif 000008
【図４ｄ】
2010094946.tif 000009
【図５】
2010094946.tif 000010
【図６ａ】
2010094946.tif 000011
【図６ｂ】
2010094946.tif 000012
【図７】
2010094946.tif 000013
【図８ａ】
2010094946.tif 000014
【図８ｂ】
2010094946.tif 000015